(57)【要約】【課題】【解決手段】バッテリーから給電される小型無線ヘッドセットは単一イヤリングあるいは１対のイヤリングとして着用される。このヘッドセットは、手を使わずに、双方向無線通信リンクを介して電話器あるいはその他のホストと交信出来る。使用に際しては、この装置は、クランプあるいは耳介ピアス孔を通して挿入されクラッチあるいはナットで固定されるポストを使って着用者の耳（９９）の耳介に取り付けられる。【選択図】図１ａ
2010530180.tif 000002
【特許請求の範囲】
【請求項１】
耳の耳介と係合するスピーカー、
送受信器を含み、前記スピーカーに導体によって接続された電子部品を有するハウジング、
前記電子部品に接続されたアンテナ、
前記ハウジング中の電子部品に導体によって接続され、そして前記ハウジングからユーザの口の方に伸びているマイクロフォーン、および
前記電子部品ハウジングに接続されかつそこから伸びている耳ピアスポストを有し、耳ピアスポストの外側端部に固定するためのクラッチ手段を使って、耳ピアスポストが耳介中のピアス孔を通して伸びる時、ユーザーの耳の耳介にハウジングを固定する、人の耳に接続されかつそこからぶら下がる無線オーディオヘッドセット。
【請求項２】
前記スピーカーが、外耳道中に伸びるように形作られた耳プラグの部分を形成している請求項１記載のヘッドセット。
【請求項３】
前記ヘッドセットは、耳プラグと電子部品ハウジング間に伸びているスピーカーブームを有し、前記スピーカーブームは、スピーカーと電子部品間の導体を収容しており，かつ前記スピーカーブームはユーザーの外耳道と係合すると前記ヘッドセットに安定性を与えかつヘッドセットの重量の幾らかを担持し、ヘッドセットの残りの重量は耳介へのピアス孔接続によって担持されている請求項２記載のヘッドセット。
【請求項４】
前記ヘッドセットは、バッテリーを有し、前記バッテリーは、ピアスポストの外側端部に接続されかつ電子部品を有するハウジングからは耳介の反対側に位置付けられるケース中に保持されており、バッテリーケースへのピアスポストの接続はまた電子部品を有するハウジングへ電力を供給するための電気的接続を与えている請求項３記載のヘッドセット。
【請求項５】
前記バッテリーケースは前記クラッチ手段有している請求項４記載のヘッドセット。
【請求項６】
前記バッテリーおよびケースは、中央孔を有し、かつ前記ピアスポストはその中央孔中に伸びている請求項４記載のヘッドセット。
【請求項７】
前記バッテリーは、再充電可能であり、前記ケースは、バッテリーに接続された電力ソケットを有し、かつその外側はその電力ソケットに差し込まれる電力プラッグを受け入れるように露出しており、従って、ヘッドセットは、必要な時、前記バッテリーを再充電するためそのような電力プラッグに接続できる請求項４記載のヘッドセット。
【請求項８】
前記ヘッドセットは、再充電可能なバッテリーおよびバッテリーに接続された電力ソケットを有し、かつその外側はその電力ソケットに差し込まれる電力プラッグを受け入れるように露出しており、従って、ヘッドセットは、必要な時、前記バッテリーを再充電するためそのような電力プラッグに接続できる請求項１記載のヘッドセット。
【請求項９】
前記ヘッドセットは、電子部品を有するハウジング中に収容されたバッテリーを有し、前記バッテリーは電子部品，スピーカーおよびマイクロフォーンへ電力を供給する請求項１記載のヘッドセット。
【請求項１０】
前記ヘッドセットは、異なるユーザーに適合するように耳ピアスポストとスピーカーの相対的な位置を調整する手段を有する請求項１記載のヘッドセット。
【請求項１１】
前記ヘッドセットは、ハウジングから伸びるマイクロフォーンブームを有し、前記マイクロフォーンはこのマイクロフォーンブームの一端で支持されている請求項１記載のヘッドセット。
【請求項１２】
前記マイクロフォーンブームは前記アンテナを含んでいる請求項１１記載のヘッドセット。
【請求項１３】
前記ヘッドセットは、さらに前記マイクロフォーンからユーザーの口の方向に伸びている中空の音声チューブを有する請求項１記載のヘッドセット。
【請求項１４】
前記アンテナは、前記音声チューブ上に１／４波長無線アンテナを有する請求項１３記載のヘッドセット。
【請求項１５】
前記ヘッドセットは、ハウジングからスピーカーに伸びる接続取り外しが可能なスピーカーブームを有し、異なるユーザーに適合するため異なった長さのスピーカーブームと交換できる請求項１記載のヘッドセット。
【請求項１６】
ハウジングとスピーカーの両方に接続、取り外し可能な形のスピーカーブーム接続は、スピーカーおよびハウジングのそれぞれ上のソケットと、押し込んで、それぞれのソケットとロックし、電気的接続と同時に機械的接続を行う前記ブームの２つの端部に設けたプラッグ端とを有する請求項１５記載のヘッドセット。
【請求項１７】
スピーカーは、外耳道に入れずに、耳介の下部耳甲介で係合するようヘッドセット上に位置付けられている請求項１記載のヘッドセット。
【請求項１８】
ヘッドセットは、さらに耳ピアスポストと電子部品ハウジング間に設けられた、耳ピアスポストを電子部品ハウジングから取り外すことが出来るような磁石接続を有する請求項１記載のヘッドセット。
【請求項１９】
耳ピアスポストは、それに固定されたベース磁石を有し、電子部品ハウジングはそのベース磁石に取り付けられるハウジング磁石を有している請求項１８載のヘッドセット。
【請求項２０】
電子部品ハウジングは、異なったユーザーに適合するため耳ピアスポストがハウジング上の異なった位置に配置出来るように複数のハウジング磁石を有する請求項１９記載のヘッドセット。
【請求項２１】
前記スピーカーは、ハウジングに柔軟なスピーカーコードで接続されている請求項１記載のヘッドセット。
【請求項２２】
調整および曲げることが出来るスピーカーブームが、そのブームが異なったユーザーに適合出来るようにそのスピーカーを電子部品ハウジングに接続している請求項１記載のヘッドセット。
【請求項２３】
旋回調整可能なスピーカーブームが、そのブームが異なったユーザーに回転によって適合出来るようにそのスピーカーを電子部品ハウジングに接続している請求項１記載のヘッドセット。
【請求項２４】
ハウジングは、シリアルバスコネクターを受け入れるためその外部でアクセス出来るシリアルバスポートを有し、また電子部品は、希望する場合には、有線モードで動作できるようにアンテナをバイパスする手段を有する請求項１記載のヘッドセット。
【請求項２５】
耳の耳介と係合するスピーカー、
送受信器を含み、前記スピーカーに導体によって接続された電子部品を有するハウジング、
前記電子部品に接続されたアンテナ、
前記ハウジング中の電子部品に導体によって接続され、そしてユーザーの口に向かって伸びるように位置決めされているマイクロフォーン、および
前記ヘッドセットを安定化しかつ支持するためユーザーの耳たぶに接続するための、ハウジングから伸びている耳介把持手段を有する、人の耳に接続されかつそこからぶら下がるオーディオヘッドセット。
【請求項２６】
耳介把持手段は、耳たぶと係合するように位置決めされたクランプを有する請求項２５記載のヘッドセット。
【請求項２７】
前記耳クランプはばねクランプである請求項２６記載のヘッドセット。
【請求項２８】
前記ヘッドセットは、さらに異なったユーザーに適合するため耳クランプとスピーカー間の距離を調整する手段を有する請求項２６記載のヘッドセット。
【請求項２９】
前記スピーカーが、外耳道中に伸びるように形作られた耳プラグの部分を形成している請求項２５記載のヘッドセット。
【請求項３０】
前記ヘッドセットは、耳プラグと電子部品ハウジング間に伸びているスピーカーブームを有し、前記スピーカーブームは、スピーカーと電子部品間の導体を収容しており，かつ前記スピーカーブームはユーザーの外耳道と係合すると前記ヘッドセットに安定性を与えかつヘッドセットの重量の幾らかを担持し、ヘッドセットの残りの重量は耳介への耳クランプ接続によって担持されている請求項２９記載のヘッドセット。
【請求項３１】
前記ヘッドセットは、耳プラグと電子部品ハウジング間に伸びているスピーカーブームを有し、前記スピーカーブームは、スピーカーと電子部品間の導体を収容しており，かつ前記スピーカーブームはユーザーの外耳道と係合すると前記ヘッドセットに安定性を与えかつヘッドセットの重量の幾らかを担持し、ヘッドセットの残りの重量は耳介へのピアス孔接続によって担持されている請求項２５記載のヘッドセット。
【請求項３２】
前記ヘッドセットは、さらにハウジングからスピーカーに伸びるスピーカーブームを有し、そのスピーカーブームは、異なるユーザーに適合するため異なった長さのスピーカーブームと交換できるようにハウジングから取り外し可能に接続されている請求項２５記載のヘッドセット。
【請求項３３】
前記マイクロフォーンは、ユーザーの口に向かってマイクロフォーンから伸びるように位置決めされた中空の音声チューブを有する請求項２５記載のヘッドセット。
【請求項３４】
耳の耳介と係合するスピーカー、
前記スピーカーに導体によって接続された電子部品を有するハウジング、
前記電子部品に接続されたアンテナ、および
前記電子部品ハウジングに接続されかつそこから伸びている耳ピアスポストを有し、耳ピアスポストの外側端部に固定するためのクラッチ手段を使って、耳ピアスポストが耳介中のピアス孔を通して伸びる時、ユーザーの耳の耳介にハウジングを固定する、人の耳に接続されかつそこからぶら下がる無線オーディオヘッドセット。
【請求項３５】
前記スピーカーが、外耳道中に伸びるように形作られた耳プラグの部分を形成している請求項３４記載のヘッドセット。
【請求項３６】
前記ヘッドセットは、耳プラグと電子部品ハウジング間に伸びているスピーカーブームを有し、前記スピーカーブームは、スピーカーと電子部品間の導体を収容しており，かつ前記スピーカーブームはユーザーの外耳道と係合すると前記ヘッドセットに安定性を与えかつヘッドセットの重量の幾らかを担持し、ヘッドセットの残りの重量は耳介へのピアス孔接続によって担持されている請求項３５記載のヘッドセット。
【請求項３７】
前記ヘッドセットは、バッテリーを有し、前記バッテリーは、ピアスポストの外側端部に接続され、かつ電子部品を有するハウジングからは耳介の反対側に位置付けられるケース中に保持されており、バッテリーケースへのピアスポストの接続は、また電子部品を有するハウジングへ電力を供給するための電気的接続を与えている請求項３６記載のヘッドセット。
【請求項３８】
前記バッテリーケースは前記クラッチ手段有している請求項３７記載のヘッドセット。
【請求項３９】
前記バッテリーおよびケースは、中央孔を有し、かつ前記ピアスポストはその中央孔中に伸びている請求項３７記載のヘッドセット。
【請求項４０】
前記ヘッドセットは、電子部品を有するハウジング中に収容されたバッテリーを有し、前記バッテリーは電子部品およびスピーカーへ電力を供給する請求項３４記載のヘッドセット。
【請求項４１】
前記ヘッドセットは、異なるユーザーに適合するように耳ピアスポストとスピーカーの相対的な位置を調整する手段を有する請求項３４記載のヘッドセット。
【請求項４２】
前記ヘッドセットは、ハウジングからスピーカーに伸びる接続取り外しが可能なスピーカーブームを有し、異なるユーザーに適合するため異なった長さのスピーカーブームと交換できる請求項３４記載のヘッドセット。
【請求項４３】
ハウジングとスピーカーの両方に接続、取り外し可能な形のスピーカーブーム接続は、スピーカーおよびハウジングのそれぞれ上のソケットと、押し込んで、それぞれのソケットとロックし、電気的接続と同時に機械的接続を行う前記ブームの２つの端部に設けたプラッグ端とを有する請求項４２記載のヘッドセット。
【請求項４４】
ヘッドセットは、さらに耳ピアスポストと電子部品ハウジング間に設けられた、耳ピアスポストを電子部品ハウジングから取り外すことが出来るような磁石接続を有する請求項３４記載のヘッドセット。
【請求項４５】
耳ピアスポストピンは、それに固定されたベース磁石を有し、電子部品ハウジングはそのベース磁石に取り付けられるハウジング磁石を有している請求項４４載のヘッドセット。
【請求項４６】
調整および曲げることが出来るスピーカーブームが、そのブームが異なったユーザーに適合出来るようにそのスピーカーを電子部品ハウジングに接続している請求項３４記載のヘッドセット。
【請求項４７】
旋回調整可能なスピーカーブームが、そのブームが異なったユーザーに回転によって適合出来るようにそのスピーカーを電子部品ハウジングに接続している請求項３４記載のヘッドセット。
【請求項４８】
ハウジングは、シリアルバスコネクターを受け入れるためその外部でアクセス出来るシリアルバスポートを有し、また電子部品は、希望する場合には、有線モードで動作できるようにアンテナをバイパスする手段を有する請求項３４記載のヘッドセット。
【請求項４９】
耳の耳介と係合するスピーカー、
前記スピーカーに導体によって接続された電子部品を有するハウジング、
前記電子部品に接続されたアンテナ、および
ユーザー上のオーディオヘッドセットのための唯一の支持手段である外耳介との係合体を有する、人の耳に接続されかつそこからぶら下がる無線オーディオヘッドセット。
【請求項５０】
ハウジングは、シリアルバスコネクターを受け入れるためその外部でアクセス出来るシリアルバスポートを有し、また電子部品は、希望する場合には、有線モードで動作できるようにアンテンナをバイパスする手段を有する請求項４９記載のヘッドセット。
【発明の詳細な説明】
【技術分野】
【０００１】
本発明は、耳介上、それに隣接して、あるいはそれを貫通して装着される１つのあるいは１対の小型装置を有しているデジタル型無線オーディオヘッドセットに関する。耳介あるいは外耳道以外の頭部のどの部分にも接することのない小型ヘッドセットは、以下イヤーセットとも呼ぶ。イヤーセットはヘッドセットの適切なサブセットを形成し、それと同じ機能を分かち持っている。
【０００２】
ヘッドセットは音楽のようなオーディオを再生し、無線電話ヘッドセットとして使用されあるいはコンピュータのような他の装置への音声インターフェースを提供する。
【０００３】
無線ヘッドセットは移動電話受話器の益々人気のアクセサリーとなりつつある。これらは電話受話器をつかむことが不都合な時、電話をしたり受けたりするため安全で、手を使わずにすむ方法を提供するものである。マーケティングの専門家はヘッドセットの売上量の急速な成長を予測している。自動車の安全性の観点から、運転中に使用出来る、手を使わずにすむ装置には大きな需要がある。さらに、ヘッドセットは携帯電話の送信器をユーザーの頭部から離れた位置への移動を可能とするので、頭部に到達する電磁界の強度を低減し、従って、有害な恐れのある影響が低減される。
【背景技術】
【０００４】
従来の有線ヘッドセットは電話器への電線接続の必要から自由な動きが妨げられている。これらは自由な動きを制限しかつヘッドセットの位置について厳格な制限を加えている。無線ヘッドセットは多くの訴えるものを備えている。ユーザーは、彼らの受話器がポケット，鞄の中さらには隣の部屋にある時でも、電話をしたり受けたりすることが出来る。
【０００５】
現今入手可能な無線ヘッドセットは、片側ヘッドフォーンあるいは眼鏡のつるのような耳介の後ろのループに似たヘッドバンドを使って頭部に取り付けられている。これらの形状は、それらが心地よいものではないかあるいは魅力のあるものではないので、長時間の装着には適していない。電話が鳴った時これらを身に付けていると無様に慌てさせられる。大多数の様式は、それが合うかどうかは変動の大きい耳介の形と寸法に依存しているので、少数の人にしか合わず、また従ってそれらの長期間の着用は心地の良いものではない。
【０００６】
着用したヘッドセットはユーザーの背景音についての感知能力を低減させる。現今のヘッドセットは背後開放あるいは閉鎖のデザインである。背後開放型は背景音の減衰を最小化するが背後閉鎖型は背景音の減衰を最大化する。理想的には、長期着用のヘッドセットは、ユーザーがヘッドセットから音楽あるいは音声を聴くかあるいはユーザーが直近の環境に対応する必要があるときは、周囲の音が聞けるように、背景音を選択的に減衰することであろう。
【０００７】
イヤリングは普通の装身具でありまたそれをしっかりとかつ座りよく取り付ける技術は既に開発されている。孔あけされた耳用のポストおよびクラッチ（ナット）あるいは孔のあけられていない耳用のばねあるいはねじクリップのようなこれらの技術の幾つかはヘッドセットに適用されている。しかし、オーディオヘッドセットは大多数のイヤリングよりずっと重い。重たいイヤリングは、ばねあるいはねじクリップで所定の位置に心地よく保持することは出来ない。ピアス孔からぶら下がっている重たいイヤリングは、心地がわるく，傷を付けることもあり，また長い間にはピアス孔を丸い孔から長いスロットに伸ばすこともある。
【０００８】
人間の耳介は敏感である。しっかりと取り付けられず、不完全に支持されるかあるいは重量がアンバランスな小型無線ヘッドセットあるいはイヤーセットは、跳ね上がったり、引っ張ったり、擦ったりしてユーザーを不愉快にする。あまりにも重いイヤーセットは同様に耐えられないものである。イヤーセットの必要電力は、重量が軽くしかし十分な使用時間電力を供給できるシステムと合わされる必要がある。
【０００９】
幾つかの公開特許出願および特許が耳介および頭部にヘッドセットを取り付ける方法を開示している。
【００１０】
Hahn et al.の発明の名称「モジュウル型無線ヘッドセットシステム」の米国特許６，２３０，０２９（２００１）は、取り外し可能に装備されたバッテリーパックとアンテナブーム中に内臓されたアンテナを有する無線ヘッドセットを開示している。このヘッドセットはフックを使って耳介に取り付けられている。
【００１１】
Yangの発明の名称「二重耳介支柱を有するイヤーフォーンーマイクロフォーンシステム」の米国特許６，０４７，０７６（２０００）は、耳介の背後でその頂部および底部に位置している１対の調整可能な耳介支柱を有するイヤーフォーンーマイクロフォーンセットを開示している。この装置は有線であり（無線ではない）またイヤリングのやり方で取り付けられてはいない。
【００１２】
Bogeskov-Jensenの発明の名称「ヘッドセット用イヤリング」の米国公開特許出願２００４/００６６９４８は、耳介の外側を包囲するループを使って耳介に取り付けられる装置を開示している。クレームしている新機軸はその取り付けループの形状および構成を含んでいる。この装置は装身具として使われるイヤリングの形式を有していない。
【００１３】
Whitewell et al.の発明の名称「オーディオ装置」の米国公開特許出願２００２/００３９４２７は、内側耳介に担持されている伝導によって耳介中に振動を励起する変換器を開示している。この出願は無線リンクの構造あるいは構成については述べていない。これはピアス孔をあけた耳たぶへの取り付けについては何の技術も説明していない。
【００１４】
Enzmannの発明の名称「支援型耳介用バッド（つぼみ体）」の米国公開特許出願２００４／０１３６５５５は、無線電話ヘッドセットとして働くクレームした能力を有する聞き取り支援装置を開示している。この装置は、通常の聴力を有する人よりむしろ聴力に欠陥のある人向けであることを意味している。この装置は「耳介バッド」として説明しているが、その装置の実際の形についてはそれ以上開示していない。この出願は実際の装置がどのようにしてこの形状の要素に作り上げられるかについては教示していない。送受信器、アンテナ、送受信器に電力を供給するバッテリー等のような無線ヘッドセットのために必要な構成要素が示されていない。耳介バッドは通常マイクロフォーンブームを有してはおらず、従ってマイクロフォーンは本質的に耳介内にあることになり，そしてそれはユーザー自身の発話を受け取るのには不十分な位置となる。
【００１５】
Beyda et al.の発明の名称「隠し無線電話器」の米国公開特許出願２００３／００２２６９０は、イヤリング中に隠された電話器ヘッドセット、１対の眼鏡、あるいは普通着用されるその他のアクセサリーを開示している。しかし、この特許出願は無線ヘッドセットをどのようにして図示されている形状の要素に作り上げるかについては教示していない。
【００１６】
従って、本発明の１あるいはそれ以上の観点による幾つかの利点は次のようなものである。
（ａ）改良した無線ヘッドセットを提供出来る。
（ｂ）長期間に亘って心地よく着用出来る無線ヘッドセットを提供出来る。
（ｃ）装身具として形成されかつ装飾を施された無線ヘッドセットを提供出来る。
（ｄ）種々の耳介形状に合うように容易に調整出来る無線ヘッドセットを提供出来る。
（ｅ）電話器ヘッドセットとしてオーディオ聴くために、あるいはコンピュータにインターフェースするために使われる無線ヘッドセットを提供出来る。
（ｆ）外の世界に対応するため取り外す必要の無い無線ヘッドセットを提供出来る。
（ｇ）ユーザーの電子制御下で、外部の音が聞けるよう開放デザインとして、あるいは外部の音を排除する閉鎖デザインとして働く無線ヘッドセットを提供出来る。
（ｈ）重量がバランスしている無線イヤーセットを提供出来る。
（ｉ）寸法および重量が小さくしかも実用的な使用時間に対しては十分な容量を有する電力システムデザインを有する小型無線ヘッドセットを提供出来る。
（ｊ）ユーザーが交換可能な電力システムを有する無線ヘッドセットを提供出来る。
（ｋ）十分な信号伝播を提供し、しかもその形状要素によって課せられる厳しい寸法および重量制約とも両立するアンテナ形態を有する小型無線ヘッドセットを提供出来る。
（ｌ）装飾を施したあるいは目立たないアンテナを有する無線装身具イヤーセットを提供出来る。
（ｍ）無線あるいは有線の形態で使用出来る二重モードのイヤーセットを提供出来る。
（ｎ）後から再生するためオーディオ内容のデータ保存出来る無線イヤーセットを提供出来る。
【発明の開示】
【００１７】
１つの観点による小型無線イヤリング型ヘッドセットあるいはイヤーセットは、バッテリーから電力を供給される小型無線ヘッドセットを有し、これは装身具のイヤリングを取り付けるため普通に使われるメカニズムを使って耳介に取り付けられる。このイヤーセットは、手を使わずに、ホストの電話器と無線で交信出来る。このイヤーセットは一方の耳介に着用される単一の装置あるいは両方の耳に着用される１対の装置から構成される。各装置は、電子モジュール、スピーカー組体、マイクロフォーン組体，アンテナ、バッテリー、スイッチおよびＬＥＤｓのようなユーザーのインターフェース装置およびクランプあるいはピアス孔用ポストを利用して耳介に取り付けるためのメカニズムから構成されている。
【００１８】
１つの観点では、この装置は耳介のある部分（耳たぶのような）を通してポストを挿入、貫通させそしてそれをクラッチあるいはナットで固定し、着用者の耳介に取り付けられる。このポストは永久的に装置に取り付けられていても良いしあるいは磁石あるいは機械的な取り付け手段を使って取り外し可能に取り付けられていても良い。
【００１９】
もう１つの観点では、この装置は耳たぶを挟むばねクランプあるいはねじクランプの手段によって着用者の耳介に取り付けられる。
【００２０】
ユーザーは、そのスピーカー組体を外耳道の内側あるいはその入り口に位置決めする。そのスピーカー組体は、摩擦によってその外耳道に保持されており，かつ短い剛性のあるあるいは半剛性のブームを使ってその装置本体に接続されている。そのスピーカー組体はイヤーセットの重量を安定化しかつそれを支持するのを助ける。スピーカートとポスト間の距離および角度は異なる耳介寸法、形状、ピアス孔の位置を補償するよう調整可能である。この装置は、調整可能なスピーカーブームを付けた単一寸法で、調整可能なスピーカーブームを付けた種々の寸法で、あるいは調整不可能なスピーカーブームを付けた種々の寸法で提供出来る。
【００２１】
このマイクロフォーンは、これがユーザーの口に向けられそして望ましくはブーム上に位置付けられるかあるいは音声の受信を向上するため音声チューブを利用する。このマイクロフォーンの入力は，装置のその時の状態に応じて３つの異なった目的のために使用される。第１の場合は、装置が電話器のイヤーセットとして使われている場合で、ユーザーの言葉はマイクロフォーンで受信され、処理されそして無線リンクを介してホスト電話器に伝送される。第２の場合は、ユーザーが直近の環境と対応している場合で、マイクロフォーンの入力はイヤーセットのスピーカー戻されている。第３の場合は、ユーザーが環境音を消すことを望んでいる場合で、マイクロフォーン入力は能動的ノイズ制御のためアンチノイズを生成するために利用される。これはオーディオの流れが、ユーザーがアンチノイズあるいは環境音流と混合した音声あるいはオーディオ流を聴いているように混合されているということである。
【００２２】
同じハードウエアおよび電子部品がオディオプレーア，電話器イヤーセットあるいはその組み合わせユニットに使われる。唯一の違いはイヤーセットファームウェアおよび無線データパケットである。
【００２３】
イヤーセットはコンパクトな電源、最も普通には一次あるいは二次（再充電可能）バッテリーから給電される。このバッテリーはイヤーセットに少なくとも２時間の電話による会話および少なくとも８時間の待機動作の間給電できるのに十分な容量を持っている。この装置はそれを耳介に取り付ける前あるいは後のいずれかで給電を始める。
【００２４】
望ましい実施例はイヤーセットとホスト間の通信のためにBLUETOOTH （Bluetooth SIG, Inc.の商標）無線プロトコルを使っている。Bluetoothは２つの装置間の短距離双方向無線通信のための仕様書である。
【００２５】
このイヤリング型イヤーセットは多数の簡素なあるいは装飾的なデザインで形成される。小型の構成要素は、装置を長期間心地よく着用するのに十分に小さく出来る。
【００２６】
本発明の上記およびその他の目的、利点および特徴は、添付の図面に沿って考えられる、望ましい実施例の以下の説明から明らかになるであろう。
【図面の簡単な説明】
【００２７】
図１−１４は、１実施例によるイヤーセットの右耳用のものであり、これらの図は次の通りである。
【図１ａ】イヤーセットの１実施例の左側の斜視図である。
【図１ｂ】電子構成要素を示すため総てのカバーを取り除いた図１ａの実施例の左側の斜視図である。
【図１ｃ】総てのカバーを取り除いた図１ａの実施例の右側の斜視図である。
【図１ｄ】カバーの詳細を示している図１ａの実施例の左側の分解斜視図である。
【図２ａ】調整可能なポストを具体的に説明するイヤーセットの左側の斜視図である。
【図２ｂ】調整可能なポストの詳細を示している図２ａの実施例の左側プロセッサハウジングの断面斜視図である。
【図３ａ−３ｅ】代替の取り付け手段を示している左側プロセッサハウジングの斜視図である。
【図４】円形ケースおよび取り外し可能なポストを具体的に説明するイヤーセットの左側の斜視図である。
【図５】調整および取り外し可能なポストを組み込んでいるイヤーセットの斜視図である。
【図６ａ】イヤーセットの２片からなる実施例の斜視図で、そこではバッテリーは他方の電子部品とは分離したハウジング中にある。
【図６ｂ】給電導体の詳細を図示している図６ａ実施例の断面斜視図である。
【図７ａ】孔あきバッテリーを利用している２片からなる実施例の斜視図である。
【図７ｂ】孔あきバッテリーと導電ポストの詳細を示している図７ａ実施例の断面斜視図である。
【図７ｃ】２つのバッテリーと代替導電ポストの実施例を利用している孔あきバッテリーのハウジングの代替実施例の断面斜視図である。
【図７ｄ】ハウジングを取り除いて分解した図７c実施例の斜視図である。
【図７ｅ】代替導電ポストの実施例の詳細を示している図７ｃ実施例の断面斜視図である。
【図７ｆ】図７ｃに類似な、しかしバスポート接続およびねじ切りポストを利用している孔あきバッテリー代替実施例の斜視図である。
【図７ｇ】ハウジングを取り除いて分解した図７ｆ実施例の斜視図である。
【図７ｈ】人の耳介のアウトライン上に重ねた図７ａ実施例の斜視図である。
【図８】マイクロフォーンブームをアンテナとして利用している図７ａ実施例の斜視図である。
【図９ａ】音声チューブを利用している図７ａ実施例の斜視図である。
【図９ｂ】マイクロフォーン組体の詳細を示している図７ａ実施例の斜視図である。
【図１０ａ】置き換え可能なスピーカーブームの斜視図である。
【図１０ｂ】分解された図１０ａブームの斜視図である。
【図１１】人の耳介の部分についての詳細を示す図である。
【図１２ａ】下部耳甲介中に位置決めされたスピーカーを利用している２片からなる実施例の斜視図である。
【図１２ｂ】非耳道スピーカーの下側を示している図１２ａ実施例の部分の斜視図である。
【図１３】柔軟なスピーカーコードを利用している２片からなる実施例の斜視図である。
【図１４】柔軟なスピーカーコードと支持ブームを利用している２片からなる実施例の斜視図である。
【図１５ａ】マイクロフォーン無しの１対の聞き取りオンリーのイヤーセットの斜視図である。
【図１５ｂ】ぶら下がりアンテナとバッテリーポートコネクターを有する聞き取りオンリーのイヤーセットの後ろ側の斜視図である。
【図１５ｃ】ぶら下がりアンテナとシリアルバスポートコネクターを有する聞き取りオンリーの装飾を施されたイヤーセットの前側の斜視図である。
【図１６】スピーカー組体からぶら下がっている１対のイヤーセットの斜視図である。
【発明を実施するための最良の形態】
【００２８】
図１ａは、一体化された無線イヤーセットの１実施例の左側の斜視図を示している。このイヤーセットは右側の耳の耳介上に着用されるように設計されており、その左側は着用者の頭部に対向している。スピーカー組体１７は形状可変のブーム２０を使って電子部品組体１８の上部左側に取り付けられている。プラスチックスピーカーカバー４４はスピーカーおよびハードウエア（この図からは見えない）をケースに入れている。マイクロフォーン組体１６は形状可変のブーム２２を使って電子部品組体１８に取り付けられている。孔のあけられたイヤリングクラッチ２６が孔のあけられたイヤリングポスト２４上に組み立てられて示されている。
【００２９】
１対のバッテリー充電ポート３２はバッテリーを充電するためのアクセスを提供する  （本願で使用される「バッテリー」は単一エネルギーセルあるいは積層あるいは複数のそのようなセルを意味する）。発光ダイオード（LED）３０は、電子部品組体１８に電源、音量、呼びピックアップ、ハングアップ組み合わせスイッチ２８の直ぐ上のところに搭載されている。イヤリングポストおよびクラッチは、ステンレス鋼、チタンあるいはその他の腐食に強い材料から形成される。この実施例は電子部品とバッテリーが単一の包囲体中にあると言う点で一体化されていると云える。
【００３０】
図１ｂ    内側の図
図１ｂは総てのカバーを取り除いた図１ａ実施例の右側斜視図を示している。スピーカー４０は３つのワイヤーを使って印刷配線板（ＰＣＢ）５６に接続されている。２つのスピーカーワイヤー４２は２つのＰＣＢスピーカー接点４３に電気的に接続されている。ブームワイヤー４６はスピーカーブームに構造的な支持を与えている。ブーム２０はほどほどの力で曲げることが出来しかし修正した位置を維持するに十分な固さを未だに有しているブームワイヤーを有している。２つのＣ字型ワイヤークランプ４５はその顎の間にこのブームをクランプしている。スピーカーワイヤーはこれらクランプの中央開口を通して引き回されている。
【００３１】
マイクロフォーン４７は３つのワイヤーを使ってＰＣＢ５６に接続されている。２つのマイクロフォーンワイヤー４８は２つのＰＣＢマイクロフォーン接点４９に電気的に接続されている。ブーム２２はマイクロフォーンブームを支持しかつマイクロフォーンケースの外側に接続された接地として働くワイヤーを有している。スピーカーワイヤーと同様に、２つのワイヤークランプ４５はそれらの顎間にブームワイヤーをクランプしておりかつ信号線はクランプの中央開口を通して引き回されている。ある種のマイクロフォーンは３つの端子を必要とする、そのような場合には、そのブームワイヤーが接地として使われても良いしあるいは追加のワイヤーが接地とされても良い。
【００３２】
２つのバッテリー端子６４はＰＣＢバッテリー接点６５に接続されている。２つのバッテリー充電ピン６６はＰＣＢから上方に伸びておりかつカバーを通してアクセス出来る。バッテリー６２はＰＣＢの下側に搭載されている；そのバッテリーの縁部のみが図面では見えている。
【００３３】
ＬＥＤ３０はＰＣＢに電気的に接続されて示されている。組み合わせスイッチ２８はそ  のスイッチ本体下でその電気的な接続をして（図示されていない）ＰＣＢ上に搭載されている。
【００３４】
ＲＦ通信チップ６０がＰＣＢ上に搭載されている。ＲＦチップはBluetooth無線プロトコルに適合することが望ましいが、その他の２方向無線プロトコルでも使用出来る。チップのベースはピングリッド列（ＰＧＡ）のような組織化された多数の接点でカバーされている（図示せず）。PCBボード上の対応する接点はチップのそれと電気的に接続されている。
【００３５】
以上に属さない構成要素７０が、Bluetoothチップ周辺で入手出来る広い領域を具体的に図示説明する目的のみで示されている。この図面は、ＰＣＢのレイアウトを図示することあるいはBluetoothヘッドセットを構成するのに必要な総ての構成要素を列挙することを意味するものではない。多くのBluetoothヘッドセットのデザインが既に具体化されておりかつその技術は当業者にとっては周知の内容である。
【００３６】
図１ｃ    右側の図
図１ｃはカバーを取り除いた図１ａの実施例の右側の斜視図を示している。この右側は着用者の頭部から離れた方に向いている。バッテリー６２はＰＣＢの右側の全体をカバーしている。このバッテリーは、一般的にイヤーセット中で最も大きくかつ最も重い単一構成要素である。１／４波長帯状アンテナ６８がバッテリーを斜めに横切って伸びておりかつバッテリーケースから電気的に絶縁されている。この図面では、バッテリーは絶縁カバーを有していると想定しているが、もしバッテリーにそのようなカバーが無いときには、１片の絶縁テープがバッテリーケースとアンテナの間に挿入されると良い。
【００３７】
図１ｄ    分解図
図１ｄはイヤーセットのカバーの詳細を示している図１ａの実施例の分解斜視図である。プラスチックスピーカーカバー４４は、スピーカー、ワイヤーおよびワイヤークランプを収容している。このスピーカーカバーは外耳道に心地よく合うように形作られている。プラスチックスピーカーワイヤーカバー５２はワイヤーをカバーし、かつスピーカーカバーと電子部品カバーを接続している。カバー５４は、ＰＣＢボード、バッテリーおよびその他の電子構成要素を収容している。このケースはプラスチックあるいはアンテナを阻害しないその他の材料から形成される。電子部品カバーはバッテリー充電ポート３２によって孔があけられている。この実施例では、イヤリングポスト２４は電子部品カバーに永久的に取り付けられている。イヤリングクラッチ２６はポストから分解されて示されている。マイクロフォーンカバー５０はマイクロフォーン、ワイヤーおよびワイヤークランプを収容している。マイクロフォーンワイヤーカバー５１はワイヤーをカバーしかつマイクロフォーンカバーと電子部品カバーを接続している。
【００３８】
第１実施例の動作
使用に際しては、イヤリングイヤーセットは、ポスト２４を耳介の孔、通常は耳たぶの所の、を貫通して挿入し、クラッチあるいはナット２６（図１ａ）でそれを固定して着用者の耳の耳介に取り付けられる。イヤーセットはそれを耳に取り付けた後あるいは前に給電される。ユーザーは、スピーカー組体を外耳道の内側あるいはその入り口に位置決めする。スピーカーの位置はスピーカーブームを曲げることによって調整出来る。外耳道中のスピーカー位置はイヤーセットを安定化しかつその大部分の重量支持する。マイクロフォーン組体はそれがユーザーの口に向かうように搭載されておりまたそれを口の近くに動かせるようブーム上に位置決めされている。それは口の所に直接ある必要は無い、またそれは口よりも耳に近くても良い。
【００３９】
組み合わせスイッチ２８は電源、音量、呼びピックアップおよびハングアップを制御する。このスイッチは３方向に移動出来る：トグルスイッチのように上下および押しボタンのように後ろに。スイッチを上にトグルするとスピーカーの音量を増し、下にトグルすると音量を減らす。後ろに押すと、呼び出しが今進行中かによって、呼び出しを受けるかハングアップするかの信号を装置に出す。スイッチを後ろに押し数秒間それを保持すると装置の電源をオンあるいはオフする。
【００４０】
ＬＥＤ３０は、イヤーセットの電源がオンされると点灯する。呼び出しを受けると、ＬＥＤは点滅する。ユーザーが装置の電源を切るためスイッチを押すと、ＬＥＤはまず数秒間その色を変え、それからイヤーセットの電源が落ちると暗くなる。
【００４１】
イヤーセットは双方向無線通信リンクを使って従来のあるいは無線の電話器と交信する。電源が入ると、イヤーセットは、無線リンクを監視し、呼び出しを待つ、待機モードに入る。呼びがユーザーの電話器で受けられると、電話器はリング信号をユーザーのイヤーセットに送り、それは可聴リングをスピーカーに生成する。ユーザーは、その呼びを受けるため電話器あるいはイヤーセットのスイッチを押す。ユーザーの発話はイヤーセットマイクロフォーンでピックアップされ、アナログからデジタルに変換され、オプションではあるが音声の明瞭度を向上しかつノイズを低減する処理を施され、リンクプロトコルに従って処理され、その後無線リンクを介して電話器に伝送される。他方の当事者の発話は電話器によって受けられ同じ無線リンクを使ってイヤーセットに伝送される。イヤーセットはそのデータを受信し、それをリンクプロトコルに従って処理し、音声を取り出し、デジタルからアナログへの変換を実行し、そしてそのアナログ信号をスピーカーに送る。ユーザーはイヤーセットあるいは電話器上のスイッチを使ってその呼びを終了するかあるいはその呼びは他方の当事者によって終了させられる。
【００４２】
ここでの望ましい実施例はヘッドセットと電話器間で交信するためのBluetooth無線プロトコルを使用している。Bluetoothは２つの装置間の短距離無線交信のための仕様書である。Bluetooth装置は約２．４ＧＨｚの高周波で作動し、２．５ｍＷ最大出力で典型的には最大１０ｍの領域を有している、ただしより高いあるいは低い電力クラスの装置はそれぞれより長いあるいは短い領域を有している。Bluetooth通信チャンネルは、１Ｍｂ／ｓｅｃ．の全帯域を有するデータ（非同期）および音声（同期）通信の両方をサポート出来る。非同期モードは、典型的には音楽およびその他のレコードされたオーディオを聴くために使われる。オーディオは、それが遅延されると言うトレードオフの下で、高い忠実度でヘッドセットに保存出来る。電話会話での音声データは、データの保存は円滑な会話を妨げる感知出来る遅れを引起すので、同期（即ち、保存しない）である。Bluetooth  Special  Interest  Group（ＳＩＧ）はヘッドセットの仕様書（Bluetoothプロファイル仕様書Ｋ６章、ｖｌ．１）を刊行しており、これは電話器とヘッドセット間の交信のための標準プロトコルを定義している。RF回路の設計はこの文書の範囲を越えているがこの点は当業者には周知の事柄である。
【００４３】
現今多くのBluetoothヘッドセットが市場に出ており、その技術は既製品として入手可能である。例えば、Cambridge, United KingdomのCSRは、商標BlueCoreで販売されているBluetoothチップラインおよびそれに関連する仕様書を提供しており、これはBluetoothヘッドセットを具体化するために使用出来る。BlueCore  ３−マルチメヂアはバランスよく単一チップ上に、高周波、ベース帯域（デジタル処理）、オーディオコーデック電源およびアンテナを組み合わせている。BlueCore技術は、高周波送受信器、ＲＩＳＣプロセッサーモヂュール、必要なＲＡＭ，ＰＲＯＭ，あるいはＥＰＲＯＭおよびソフトウエアを定義している高周波概要および印刷基板を特定している。商標BlueCore４の名で販売されている次世代ＣＲＳチップはサンプル量で入手可能である。これは小電力で以前のモデルより高い帯域を有している。
【００４４】
BlueCore  ソフトウエアは、ＲＦコントローラ、多量のBluetoothソフトウエア、ヘッドセットライブラリ、ヘッドセットアプリケーションを備えている。それは、ボタンおよびＬＥＤ、電源管理、マイクロフォーン無音化、スピーカー音量調整およびその他の機能を含むユーザーインターフェイスを取り扱う。その他のソフトウエア機能は両端における呼びを鋭敏にするＤＳＰを含んでいる。ＤＳＰの機能は、「能動的ノイズ打消し」、周囲の音レベルに応じた自動スピーカー音量制御、ノイズレベル上の柔らかな区間の音量を引き上げる入力信号の自動分析、および出力オーディオからの周囲ノイズの減算を含んでいる。
【００４５】
ユーザーインターフェイス装置は、スイッチおよびＬＥＤから構成されている。Bluetoothヘッドセットプロフィールは４つのスイッチを特定している：電源、音量アップ、音量ダウンおよび会話。電源および音量スイッチは字面通りである。会話スイッチはユーザーが呼びに答えようとした時、起動される。ＬＥＤは電源状態、呼び状態のような装置の状態を示す。
【００４６】
電力供給システムは定格電圧３．６Ｖを与えるリチュウムイオンあるいはリチュウムポリマーバッテリーによって作動される。このバッテリーはコンパクトな電子装置で使用される公知のタイプで良い。例えば、適切なリチュウムイオンバッテリー  モデルＧＳＰ０５１２１９は中国、関東州のGreat Power Battery Co.,  Ltd  によって製造されている。このバッテリーは、定格電圧３．７Ｖの出力を与え、容量７０ｍＡｈ、重量１．８ｇ、を有し、長さ１９ｍｍ、幅１２ｍｍ、厚さ５ｍｍである。同じ製造元の少し大きいバッテリー、モデルＧＳＰ３５１６２４は、定格電圧３．７Ｖの出力を与え、容量１００ｍＡｈ、重量２．３ｇ、を有し、長さ２４ｍｍ、幅１６ｍｍ、厚さ３．５ｍｍである。BlueCore  チップに一体化されている電圧調整器はフラッシュメモリ（もし使われていれば）およびコーディクに給電するため３．０Vを供給する。別のチップ上の調整器は１．８Vを供給する。高周波回路およびマイクロプロセッサを含む大半の装置は１．８Vによって給電される。
【００４７】
高価でない印刷アンテナが使われても良い。２．４GHｚで１／４波長アンテナは長さ約３２ｍｍである。簡単なフライイングアンテナあるは平面逆Ｆ字型アンテナ（ＰＩＦＡ）で良い結果が得られる。フラクタルアンテナは最も伝統的な寸法１／４波長で効率的に動作することが出来る。より高性能な形状は、高周波領域を維持しながら放射電力レベルを低減出来る。このアンテナはコンパクトな装置のために設計された公知のタイプでも良い。例えば、Sweden, Lund の gigaAnt Co. から入手可能な Impexa  モデルアンテナは、２．４GHｚ運転用に設計されており、PCB搭載可能でありかつ寸法が長さ６．１ｍｍ、幅３．９ｍｍ、厚さ１ｍｍとコンパクトである。
【００４８】
このオーディオモジュールは、チップ上のオーディオコーデック、マイクロフォーンおよびスピーカーを有している。このコーデックはマイクロフォーンからのアナログデータをデジタル化し、音声コーディングに要求される帯域制限および円滑化を実行する。このコーデックはオーディオデータを受け入れ，スピーカーに出力するためデジタルーアナログ変換器を使ってそれを再構成する。
【００４９】
少消費電力と小寸法小重量を組み合わせた小型マイクロフォーンおよびスピーカーが入手可能である。例えば、台湾のKingstate Electronics Corp.は小型全方向マイクロフォーン、モデルKEC-1042PBLを提供している。この机上型マイクロフォーンは、直径６．０ｍｍ、高さ１．９ｍｍ、重さ０．３ｇである。Kingstateは、モデルKAS−１０００８を含む種々のモデルの小型スピーカーを提供している。この机上型スピーカーは、直径１０．０ｍｍ、高さ３．２ｍｍ、重さ０．８ｇである。これは２００mWの出力定格を有している。
【００５０】
調整可能なポストを有する代替実施例    図２ａ
図１ａ−１ｄの実施例は、イヤーセットを異なる耳介寸法、形状および変動するピアス孔位置に対応して調整するため形状可変のスピーカーブームを使用している。代替実施例は、この形状可変ブームの代わりのあるいはそれと組み合わせた他の技術を使っている。
【００５１】
図２ａは調整可能なポスト２４ａを採用しているイヤーセットの実施例の左側の斜視図である。このポストの位置は、それを調整可能ポストスロット２５中で上下に摺動させることによって調整される。この調整可能なポストは、多様な耳介の寸法および形状にこの装置が適合出来るようにスピーカーブームと共に使われても良い。イヤーバッドスピーカーカバー４４ａは、いずれの実施例においても外耳道スピーカーの代替物として使っても良い。
【００５２】
図２ｂは調整可能なポストの詳細を示している左側のプロセッサハウジングの斜視図である。調整可能なポストのベースとポストスロットの内部間の干渉あるいは嵌め込みはポストを上下に動かすため必要な力の量を制御する。この移動のための力は特別な困難無しでポストが画調整出来るような十分小さくしかも意図しない動きを阻止するに十分な高さとなるよう較正されねばならない。
【００５３】
代替取り付け手段    図３ａ−３ｅ
図３ａは、ポスト保持体としてのヒンジ型押さえ２６ａを採用しているイヤーセットの実施例の左側のプロセッサハウジングの斜視図である。ヒンジ型押さえ２６ａはピアス孔への挿入のためにポストを露出するよう持ち上げられ、ポストを固定するため持ち下げられる。
【００５４】
図３ｂは、フックポスト２６ｂを採用しているイヤーセットの実施例の左側のプロセッサハウジングの斜視図である。このフックポストは、耳介への装着が簡単で早い、しかしポストとくラッチあるいはナットのようには固定されない。
【００５５】
図３ｃ−３ｅはピアス孔の無い耳用のイヤーセット取り付け手段を示している。図３ｃは調整可能な耳介（耳たぶ）クランプ２９を採用しているイヤーセットの実施例の左側のプロセッサハウジングの斜視図である。使用に際しては、ユーザーの耳たぶはクランプの２つのアーム間に挟まれる。クランプの位置はクランプを調整可能なクランプスロット２５ａ中を摺動させることによって縦方向に調整出来る。このクランプはより大きな調整能力を与えるようハウジングに対して回転出来る。
【００５６】
図３ｄは、ここでは閉じた位置で示されているが、ヒンジ型耳介クランプ２９ａを採用しているイヤーセットの実施例の左側のプロセッサハウジングの斜視図である。使用に際しては、ユーザーの耳たぶは耳介クランプ２９ａとクランプベースパッド２９ｂ間挟まれ、イヤーセットを保持する摩擦力が生成される。図３ｅは開位置の耳介クランプ２９ａを示している。
【００５７】
取り外し可能なポストを有する代替実施例    図４，５
図４は取り外し可能なポスト１５を組み込んでいる円筒状の電子部品カバー５４ａを備えたイヤーセットのもう１つの実施例の左側斜視図である。このケースは、矩形あるいは円筒形の他に種々の形に形成しても良い。このケースの形状は、構成要素の、特にバッテリーの寸法および形状によってのみ制限される。この実施例はコイン型のバッテリーを使用している（図示せず）。このバージョンはPCBに搭載したアンテナを使っても良い。代案として、マイクロフォーンブームワイヤーがアンテナとして使える、帯状アンテナをブームに沿って配列することも出来る、あるいはアンテナはＰＣＢ上に印刷することも出来る。
【００５８】
取り外し可能なポスト１５は、ポスト磁石７２に永久的に接続されているイヤリングポスト２４を有している。イヤーセット磁石７４は電子部品カバーに永久的に接続されている。これらの磁石は装置を組み立てるために接着されているが、ユーザーは２つの磁石を引き離すことによって装置を分解出来る。この装置はポストとイヤーセットを組み合わせる前あるいは後にピアス孔に挿入することも出来る。このポスト磁石は、イヤーセットが取り付けられていない時は、魅力的な外観を与えるため装飾的に色を付けたり、形を工夫したり、模様を付けたりしても良い。イヤーセットに取り外し可能に取り付けるポストの望ましい手段は磁石を使ったが、多くの機械的な取り付け手段が同じ機能を発揮する代案として構成可能である。
【００５９】
図５は、調整および取り外し可能なポストを組み込んだイヤーセットの斜視図である。ポスト組体１５は、イヤーセット磁石７４が搭載されている３つの位置のいずれかでイヤーセットに取り付けることが出来る。
【００６０】
２片の実施例    図６ａ，６ｂ
図６ａは、イヤーセットが２片の実施例の斜視図であり、ここではバッテリーが電子部品のそれとは違う別のハウジング中にある。ハート型電子部品カバー５４ｂは電力ー会話ボタン２８aの上方にＬＥＤ３０を搭載している。この実施例はイヤーセット上に機械的な音量制御体を組み入れていない。電力伝達ポスト８２は電子部品ハウジングに永久的に取り付けられている。バッテリーハウジング８０は、ここでは左右部分が分解して示されているが、バッテリー８１と電気伝導ナット８４を包囲している。ナット８４はバッテリー導体８６と電気的に接触しており、これは次に正のバッテリー端子９２と電気的に接触している。導体８６は、絶縁テープ８８によって負のバッテリー端子９０と電気的に接触するのを阻止されている。
【００６１】
図６ｂは、電力伝達の詳細を図示している図６ａのイヤーセットの一部分ｎｏ断面斜視図である。導電ポスト８２は、負バッテリー端子と接触しているポストの芯導体９４、ポストの芯絶縁体９６および導体ナット８４中にねじ込むためのねじが切られているポストの外側導体９８、を示すため長手方向にスライスされている。絶縁テープ８８中の孔は、ポストの芯導体を負のバッテリー端子に接触させることを可能としている。
【００６２】
図６ａ，６ｂに示されたバッテリーは、一次バッテリー（再充電不可）で、他の図面のそれらより小さい。一次バッテリーは典型的には二次バッテリー（再充電可）よりより高いエネルギー密度を有しているので、小さなバッテリーが使える。
【００６３】
代替２片の実施例    図７ａー７ｈ
図７ａは、オプション的にハート型子部品カバー５４ｂおよび孔あきバッテリー組体８３を利用しているもう１つの２片の実施例の斜視図である。このバッテリー組体は孔あきバッテリー６３、トーラス型負端子９１およびトーラス型正端子９３（この図では見えない）から構成されている。電力伝達ポスト８２は電子部品ハウジングに永久的に取り付けられている。組み立てられると、ポストは耳介およびバッテリー中の孔を通して伸びている。ポストの芯導体９４は正のリング端子９３に接触しており、ポストの外側導体９８は負のリング端子９１に接触している。この実施例は、いろいろな厚みの耳たぶに合うようにイヤリングを容易に調整することを可能とする。孔の内部を含むバッテリー６３の表面は電気的な短絡を絶縁するために非導電性材料でコートしても良い。この孔あきバッテリーはリチュウムポリマーバッテリーの技術を使って構成しても良い。リチュウムポリマーバッテリーは高いエネルギー密度を有しており、固いケースを必要とせずかつほとんどあらゆる形に成形出来る。
【００６４】
図７ｂはポストークラッチ構造の詳細を図示している図７ａのバッテリー組体８３およびポスト８２の詳細な断面斜視図である。ここでは導体９１，９３はリングあるいはトーラスに形成されている。電気を通す他に、この導体は、孔を貫通しているポストの動きと少し干渉することによって摩擦を生成するように形および寸法が決められている。従って、この孔あきバッテリーは、トーラス型の導体と共にイヤリングクラッチとして働く。胴体９４，９８は電気的な短絡を阻止すうためバッテリーの端子間の距離より短くされている。
【００６５】
図７ｃは２つのバッテリー（この図ではバッテリーは見えない）、代替電力伝達ポスト８２ａおよび電力伝達スリーブ８４ａを利用している矩形の孔あきバッテリーハウジング８０ａの代替実施例の斜視図である。
【００６６】
図７ｄは、ハウジングを取り除き分解した図７ｃ実施例の断面斜視図である。２つのバッテリーには導電性スリーブ８４ａ用の空間を作るため溝が切られている。バッテリーと給電用導体間のワイヤー接続は図示されていない。
【００６７】
図７ｅは導電ポストとスリーブの詳細を示している図７ｃ実施例の断面斜視図である。中空導電性ポスト８２ａはプラグ型の導電ポストを利用している。ポストの外側導体９８とポストの芯導体９４は正負の電圧を担持し、そしてポスト芯絶縁体９６はこれらの導体を絶縁している。導電スリーブ８４ａは外側導体９２ａと内側導体９０ａを有している。ポストがスリーブと共に組み立てられると、ポスト導体９４，９８はスリーブ導体９０ａ，９２ａとそれぞれ電気的に接触する。
【００６８】
図７ｆは、図７ｃと類似したしかし電源ソケット３６（この図では見えない）に接続される付随ワイヤー３８を備えた電源プラグ３７を有している外部電源を利用している孔あきバッテリーハウジングの代替実施例の斜視図である。このプラグはバッテリーを充電しイヤーセットに給電する電力を供給する。このケーブル３８はその他端で電源装置（図示しないホスト装置）に接続される。
【００６９】
図７ｇは、ハウジングを取り除き分解した図７ｆ実施例の斜視図である。電源ソケット３６は電源プラグ３７から分解されて示されている。
【００７０】
図７ｈは人の耳の耳介９９に取り付けられた図７ａ実施例の斜視図である。ポストーバッテリー組体は電子部品カバーと耳介によって隠されている。
【００７１】
図６a−６b，７ａ−７ｃに図示されている２片の実施例（電子部品ハウジングから分離したバッテリー）は、他の実施例と較べて利点を有している。耳介背後のバッテリーの位置はバッテリーを効果的に視界から隠し、感知される装置の寸法を小さなものとしている。ポストの一端の電子部品組体と他端のバッテリーの位置は装置のバランスをとっており、従って、ポストに作用する捻り力を低減あるいは除去する。捻り力の低減は追加の装置支持体の必要を低減し、またポストが捩れることによってユーザーに不快感を与える可能性を低減する。この２片の実施例はより安定しており、そのため、１片の実施例より一層大きな有用性を示す。この２片の実施例は簡単に取り替えられるバッテリーを組み込んでおり、従って、必要なときに新しいものと簡単に交換できる一次バッテリーあるいは小さな二次バッテリーを使うことが出来る。
【００７２】
代替実施例：  マイクロフォーン  ブーム  アンテナ    図８
図８は、マイクロフォーン  ブームの外側を単極アンテナとして利用している図７ａ実施例の斜視図である。ブーム２２は、図７ａのものより約３０ｍｍ長くこれは２．４GHｚの１／４波長に相当する。この場合には、アンテナはブームの導電性外側チューブに一体化されている。ワイヤーから作られる共振型１／４波長単極アンテナの長さは次の式から計算出来る、ただしこの式は共振には少し短いものを念頭に入れている。単極アンテナ長＝２８０８インチ／２４００ＭＨＺ＝１．１７インチ＝２９．７２ｍｍ
【００７３】
代替実施例：  音声チューブ    図９ａ，９ｂ
図９ａは中空音声チューブ２３を利用している図７ａ実施例の斜視図である。この音声チューブは音を電子部品カバー５４ｂ内に配設されているマイクロフォーンに導く。この音声チューブは１／４波長の単極アンテナとして働く。
【００７４】
図９ｂは音声チューブ２３と円筒状マイクロフォーン４７を示している図９ａ実施例の斜視図である。 Itasca, ILの Knowles Acoustics はFGシリーズを含む多くの小型アンテナを製造している。FGシリーズアンテナは、重さ０．０８ｇで、直径２．５６５ｍｍ、長さ２．５６５ｍｍの寸法である。これらのマイクリフォーンは、正、負および出力の３つの端子を有している（この図では端子は示されていない）。
【００７５】
代替実施例：交換可能なスピーカブーム    図１０a，１０ｂ
図１０ａは、イヤーセット実施例のどれとも一緒に使える交換可能なスピーカブームの斜視図である。交換可能なブーム組体１３７はブームソケット組体１３０と物理的かつ電気的に接触をしている。このブームソケット組体はスピーカーと電気的に接触している。
【００７６】
図１０ｂは図１０ａのブームの分解した斜視図である。ブームソケット組体１３０はブームソケット１３２、ブームソケット絶縁体１３４およびブームソケット接点１３６から構成されている。ブーム組体は、外側ブームチューブ１４２、同様に円筒形でかつブームチューブの内側に嵌るブーム絶縁体１３８および断面が円筒形で、ブーム絶縁体の内部に嵌りかつブームの各端部から伸びているブーム芯１４０から構成されている。このブーム組体は、ブームをソケットの中に押し込むことによってブームソケットと組み合わされている。このブームは、２つのブームスナップスロット１４４の組と係合する２つのブームスナップ鋲１４６の組との係合によってソケット中に保持されている。その他端で、ブームは同様に電子部品組体に取り付けられている（図１０ａあるいは１０ｂには電子部品組体は示されていない）。図１０ｂはスナッピングによって組み合わされるブームとソケットを図示しているが、それらの部分は代案としてねじ、接着剤あるいはその他の類似な手段を使って組み合わせることが出来る。
【００７７】
スピーカーブームが剛性あるいは半剛性であると、それはイヤーセットを安定しその重量を支える助けとなる。耳介寸法および形状またピアス孔の位置の多様性は剛性のブームが調整可能であることを必要としている。ブームを調整するための本願で開示されている技術は、プライヤーのような道具を使って調整出来る固いがしかし曲げることが出来る材料をブームに使うことあるいはブームが指の圧力によって調整出来ることを含んでいる。異なる標準ブーム長および形状は、組立て時にユニット中で一体化出来る、あるいは異なる標準ブーム長および形状は、現場で取り付けても良い。代案として、異なるブーム形状あるいは寸法の組み合わせは調整の範囲は制限されるが組み合わせ可能である。
【００７８】
図１１は人の耳介の部分の詳細を示す図である。
【００７９】
代替実施例：非外耳道スピーカー    図１２ａ，１２ｂ
図１２ａは耳介内でしかし外耳道の外側に位置付けされているスピーカー組体１７ａを利用している２片の実施例の斜視図である。非外耳道スピーカー組体１７ａは、非外耳道スピーカーブーム２０ａを使って電子部品組体の上部左側に取り付けられている。非外耳道スピーカーカバー４４ｂはスピーカー４０と付随するワイヤーおよび搭載ハードウエアをケースに入れている（この図では見えない）。使用に際しては、スピーカーブームは耳珠間ノッチを経由し、そしてスピーカー組体は、下部耳甲介のような耳介の軟骨領域と接するように位置決めされる。スピーカーからの音は空気および耳介の軟骨の両方を通してスピーカーに伝達される。
【００８０】
図１２ｂは、非外耳道スピーカーカバーの下側を示している図１２ａ実施例の一部の斜視図である。スピーカーカバー４４ｂは心地よさのためと下部耳甲介と接する領域を最大化して軟骨を経由する音を最大とするため丸くされている。この非外耳道スピーカーブーム２０ａは、耳珠間ノッチを横切る耳介の輪郭と合うようにカーブが付けられている。スピーカーワイヤーおよびブーム取り付け手段の詳細はこの図では示されてはいないが、これらは耳介外耳道型スピーカー組体用の以前の図に示したそれらと類似である。
【００８１】
図１３は柔軟なスピーカーコード２０ｂを利用している２片の実施例の斜視図である。柔軟なスピーカーコードは、イヤーセットを調整無しでいろいろな耳介の寸法、形状に合わせることを可能とする。この実施例では、イヤーセットは、ピアス孔に位置付けられているポスト８２と、バッテリー組体８３と電子部品カバー５４ｂの間の耳たぶクランプピングとの組み合わせによって支持されている。耳プラグとして示されているスピーカー１７はここでは支持あるいは安定性を与えてはいない。
【００８２】
図１４は柔軟なスピーカーコード２０ｂと調整可能な支持ブーム３３を利用している２片の実施例の斜視図である。支持ブーム３３は２つの支持腕３５の組によって電子部品カバー５４ｂに取り付けられている。この支持ブーム腕は支持ブームをしっかりと所定の位置に保持するが、ブームは種々の耳の寸法、形状に対して調整出来るように縦方向に摺動かつ回転可能である。軟らかい材料から形成されているブームパッド３４がブームの先端に設けられている。このブームパッド３４は、イヤーセットの使用時下部耳甲介中に伸びる。ブーム３３は耳珠間ノッチを通して伸び、またブームパッド３４は、下部耳甲介のような耳介の軟骨領域と接するように位置付けられる。従って、このブームは重量を支持しイヤーセットを安定化する。
【００８３】
代替実施例：聴き取りオンリーイヤーセット    １５ａ
図１５ａは、本発明のもう１つの代替実施例を示しており、ここでは無線イヤーセットは、マイクロフォーン無しで、柔軟コード２０bと電子部品ハウジング５４bを備えたスピーカー組体１４を有している。このイヤーセットは、スピーカー組体１４から電子部品ハウジング５４ｂに伸びている柔軟コード２０ｂを備えて示されている、従って、図１３，１４のようには、スピーカーがイヤーセットを支持あるいは安定化する助けにはなっていない。このイヤーセットはまたハウジング５４ｂに取り付けられかつそこから伸びている導電性のピアス孔用ポストを受け入れるための中央孔を有するバッテリー６３を備えて示されている。この構造は、図１２a，１２b，１３のような他の実施例に関連して先に検討した。耳への接続およびバッテリーの収容は、代案として図１ａ−１ｄに示したもののようにすることも出来る。同様に、図１５ａに示したイヤーセットは、適切な位置に設けられ電子部品ハウジング５４ｂの電子部品に接続されるアンテナを有している。音量はホスト装置から制御される。このスピーカーのみの実施例は、無線の受信器のみを必要とし、送信能力は全く必要としない、ただし、送信能力が無いと、イヤーセットは、欠落のあるパケットの再送信を要求することが出来ないので、この点はオーディオの質を下げる。
【００８４】
代替実施例：有線コネクター    図１５ｂ，１５c
図１５ｂは、聴き取りオンリーイヤーセットの斜視図である。このイヤーセットは、短い柔軟な接続ワイヤー７１による５角形の電子部品カバー５４ｃの底部からぶら下げられた１／４波長のアンテナワイヤーを利用している。このアンテナワイヤーは直線でもコイル状でも良い。ハウジング８０a内のバッテリーユニット、ポスト給電導体８２ａ，８４ａおよび給電コネクター３６ａ，３７ａは図７ｆ、７ｇに図示されている。
【００８５】
図１５ｃは、聴き取りオンリーイヤーセットの斜視図である。アンテナワイヤー６８ｂは、コネクターワイヤー７１によってカバー５４ｃの底部からぶら下がっている。電子部品カバー５４ｃの前面は、エッチングパターンおよび小さな宝石で装飾されても良い。
【００８６】
図１５ｃの聴き取りオンリーイヤーセットに適切な１つのシリアルバス３７a，３６ａは、ＵＳＢとして知られている。UBSはインターフェース装置へのシリアルバス標準である。USBの設計は、コンピュータおよび電子産業からの指導的企業を組み入れた産業標準団体USB Implementers Forum (USB-IF)によって標準化されている。コネクターは頑丈に設計されている。USBコネクターを間違って取り付けることは難しい。中庸の挿入／引き抜き力が特定されている。USBケーブルと小さなUSB装置は、受容器からの把持力によって所定の位置に保持される（他のコネクターが要求しているようなねじ、クリップあるいは指回しの必要無しで）。
【００８７】
このシリアルバス接続の有用性は新たな動作モードを可能とする。このバスは、即座の再生のためにオーディオコンテントをダウンロードするため（有線モード）、保存のためオーディオコンテントをダウンロードし、その後再生するため（MP3モード）、イヤーセットの作動に給電するため、イヤーセットバッテリーを充電するため、さらには可能性ではあるが新しい動作ファームウエアーをダウンロードするために使用することが出来る。イヤーセットがバスに接続されている時にはいつでも、それはイヤーセットバッテリーの電力は使われないことになる。バスの電力は装置に電力を供給するためおよびバッテリーを充電するため（もし必要であれば）に利用されている。
【００８８】
有線、無線両用
有線シリアルバスが接続され、即時の再生のためイヤーセットにオーディオコンテントをダウンロードしている時は、イヤーセットは有線モードで作動している。有線モードでは、イヤーセットは、標準有線イヤーセットをエミュレートしている。無線通信は必要とされない。バス電力がイヤーセットを駆動しており、バッテリーは利用されていない。バスが接続されていない時には、装置は、無線バッテリー給電動作に戻る。いずれのイヤーセットの実施例も有線、無線両用に修正出来る。
【００８９】
オーディオ保存および再生（MP３モード）
MP3  プレーヤーダウンロードデジタルオーディオファイルは、メモリあるいはその他の不揮発性保存メディア中にそのファイルを保存し、後にユーザーの制御下でデジタルオーディオを再生する。数百万のMP3プレイヤーが種々の会社によって既に製造されている。MP3プレイヤーを製造する技術はこの分野では周知である。
【００９０】
MP3モードでは、イヤーセットは、オンボードメモリに保存された以前にダウンロードしたオーディオコンテントを再生する。バスはダウンロード工程中は接続されているが、再生中は切られている。不揮発性メモリを追加して保存することによって、無線イヤーセットがMP3プレイヤーの動作をエミュレート出来る。各イヤーセットは同じオーディオプログラムあるいは同じステレオオーディオプログラムの単一チャンネルを保存する。
【００９１】
リモートコントロール装置は、再生の開始、停止、音量の変更、オーディオプログラムの順番の特定、イヤーセットの同期等のイヤーセットへのコマンドを無線で送る。リモートコントロールは、歌の名前の順序、アーティスト情報、継続時間等に関する情報を持っていることもあり、そうでないこともある。MP3モードの利点は、無線受信器、送信器が低い帯域幅の転送のみに使われることである。低帯域幅受信器、送信器は、高帯域幅送受信器より非常に少ない電力ですむ、それは、デジタル信号処理をほとんど行わず、コマンド間では冬眠でき、かつ受信器オンリーの形態では送信を行わないからである。
【００９２】
自律モード
MP3モードイヤーセットは、全く外部との交信リンク無しで、自律モードでオーディオコンテントを再生する。最も簡単な場合は、オンしたイヤーセットは所定の音量レベルでオーディオコンテントのループの再生を始める。イヤーセットは、イヤーセット自身の内部クロックに基づいてオーディオループ中の正しい位置を計算する。無線リンクが無いと、２つのイヤーセットは無線コマンドによって同期化出来ない。このことは、例え、バッテリーもバスもイヤーセットに接続されていない時でも、装置がバスに接続されている間は、２つのイヤーセットの内部クロックが同期化され、それらのクロックが維持されていることを必要としている。イヤーセットの電源およびボリュームの追加は、自律イヤーセットの有用性を改善するが、これらの制御は強くは要求されない。なお自律モードではイヤーセットは依然として無線である。
【００９３】
代替実施例：ぶら下がりイヤーセット    図１６
図１６は、スピーカー組体１７からぶら下がっている１対のイヤーセットの斜視図である。ヘッドセットあるいはイヤーセットの重量は着用者の外耳道中に挿入されたスピーカー組体の手段によって支持されている。ブーム２０は変形することなくイヤーセットの重量を支持するに十分な剛性がなくてはならない。このスピーカーブームはイヤーセットを支持し、安定化するために下部耳甲介あるいは耳珠間ノッチのような耳介領域と接触するように形成される。図１４に示すような支持ブームが重量を支持するのを助けし、安定性を向上するためにこの実施例に追加しても良い。右側イヤーセットに見えるように、アンテナ６８ａ、電力スイッチ２８ａおよびLED３０がある。イヤーセットはシリアルポートを介して電力およびデータダウンロードのためにホスト装置に接続されている。バッテリーは内部にあってこの図では見えない。この実施例は有線，無線両用に十分適している。このイヤーセットは、動作を維持しながら再充電のためホストに容易にプラッグイン出来るので、バッテリーの寸法は幾分小さく出来る。有線モード動作では、このイヤーセットはRF干渉および盗聴に対して免疫があり、また他のRF装置と干渉しあわない。
【００９４】
代替無線技術
代替実施例は、ヘッドセットとホストの間の交信に他の無線プロトコルおよびキャリアを使っても良い。これらは、RFを使っているIEEE８０２．１１、磁気誘導通信および赤外帯域を使うIｒDAを含んでいる。
【００９５】
IEEE８０２．１１は、無線LAN技術のためにIEEEが開発した仕様書のファミリーを言及している。８０２．１１は、無線顧客とベース局間あるいは２つの無線顧客間の空中干渉を特定している。８０２．１１は、Bluetoothと同じ２．４GHｚ帯域で動作するので、周波数ホッピング技術を使ってこの２つは同じ領域で共存可能である。８０２．１１は典型的にはBluetoothより長い領域および高い電力である。
【００９６】
磁気誘導通信（時として、近接場磁気通信と呼ばれる）は、Michigan ベースのfoneGEAR Inc.によって販売されている移動電話器ヘッドセット中に現在使われている。foneGEARはWilmington, Mass.の Aura Communications Inc.が開発した技術を使っている。Auraの磁気誘導通信技術は、これは商標LibertyLinkとして売られているが、ヘッドセット用に１３．５ＭＨｚスペクトルで動作し、約６フイートの限られた領域でデジタル信号を伝達する。Auraの技術は、低電力、非伝播、準静磁場を係合することによって２つの装置間に信号を送るものである。この技術は、Bluetoothよりも消費電力および構成要素が少なくてすむと報告されている。データレートは音声に付いては６４ｋｂｐｓ、データに付いては２０４．８ｋｂｐｓにある。
【００９７】
IｒDAは、互いを検出しかつデータを交換するためのIｒDA基準に適合するすべての２つの装置に必要な物理的プロトコル層を特定している。この装置は、視界の妨げられない線を有している。最初のIｒDA１．０仕様書は、１５度と３０度の間の半視角で１ｍまでの範囲で２４００ｂｉｔｓ／ｓから１１５２００ｂｉｔｓ／ｓの転送レートを有するシリアル、半二重、非同期システムを詳細に記述している。IｒDAは、４Ｍｂｉｔｓ／ｓまでの転送レートでデータ通信を可能とするようその物理的層の仕様書を拡張している。
【００９８】
２片イヤリング実施例
この出願は、主として単一の耳介に着用されるイヤーセットを説明したが、１対のイヤリング型イヤーセットも使用出来る。２つのイヤリングの使用の利点は、明瞭な音、ステレオ音および明瞭な音声ピックアップを含んでいる。１イヤリングと較べた時のトレードオフは、コスト高および２つの装置の着用の必要性である。無線プロトコルは、ホストが２つのイヤーセットの存在を認識するように構成されるか、あるいは２つのイヤーセットがホストに対して単一の装置と見えるように構成出来る。このイヤーセットは、イヤーセットの一方をサブネットマスターとして働かせ、他方のイヤーセットおよびホストと交信するよう、それら自身のサブネットを定義することが出来る。アレイ状に並んだ２つのマイクロフォーンを使って、時間遅れ原理から予測される一直線的なアルゴリズムが、同時性の範囲で両マイクロフォーンによって受信されない音を減衰することによってオーディオ入力にフィルターをかけるように構成出来る。領域外の音波は減衰される。Knowles Acousticsは、所定のLook Angleおよびスピーチ源に対するAngle of Acceptance を有するアレイプロセッサを構成するため時間遅れ原理に基づいてそれ自身が予測するアルゴリズムを開発している。Angle of Acceptanceの外側の総ての音の平面波は、２要素アレイに対して１５ｄB以上減衰される。
【００９９】
オーディオ処理モード
マイクロフォーンの入力は、装置のその時の状態に応じて３つの異なった目的のために使われる。装置が電話器のイヤーセットとして使われている第１の場合には、ユーザーの発話がマイクロフォーンで受け取られ、処理されそして無線リンクを介してホスト電話器に伝送される。ユーザーが直近の環境と対応している第２の場合には、マイクロフォーン入力はイヤーセットのスピーカーに導かれる。ユーザーが環境音を消音したい第３の場合には、マイクロフォーン入力は、能動的ノイズ制御のためアンチノイズを生成するために使われる。なお，ここでは、ユーザーがアンチノイズあるいは環境音流と混合された音声あるいはオーディオ流を聴いているようにオーディオ流が混合されている。
【０１００】
DSPが両端でその呼びを先鋭にするため使われても良い。DPSの機能は、「能動的ノイズ打消し」、周辺音レベルに応じた自動スピーカー音量制御、ノイズレベル上の軟音区間の音量を上げるための入力信号の自動分析、および出力オーディオからの周辺ノイズの減算を含んでいる。
【０１０１】
種々の実施例の無線イヤリング型イヤーセットは、しっかりとしかも心地よくユーザーの耳の耳介に取り付けられ、また種々の耳介形状に合うように容易に調整出来る小型で軽量のヘッドセットを提供する。それは素早くかつ容易に取り付け取り外しが出来、かつ長期間心地よく着用が出来る。このイヤーセットは、美しさと有用性を組み合わせた装身具として形作り、装飾が施されても良い。これは携帯電話、有線電話、デジタルオーディオ再生器あるいはコンピュータとインターフェース出来、また双方向電話ヘッドセット、オーディオヘッドセット、あるいは演算装置への音声インターフェースとして働く。これはユーザーの電子制御下で，外部の音を聞くことが出来る開放型デザインあるいは外部の音を排除する閉鎖型デザインのいずれかとして構成出来る。開放型デザインとして構成された時は、使わないときでも、外部の世界に対応するためそれを取り外す必要は無い。
【０１０２】
上記の説明は多くの具体的な内容を含んでいるが、これらは本発明の範囲を制限するものと解釈されるべきものではなく、単に本発明の現今の望ましい実施例の幾つかを図示して提供していると解されるべきである。
【０１０３】
例えば、外耳道中に位置している外耳道スピーカーあるいは外耳道の方向に向けられて着用されている耳バッドよりむしろ、スピーカーは縦方向に装着され横から着用される耳バッドでも良い。
【０１０４】
これまでの耳介への言及は、特に、イヤーセットが接続されるあるいは示唆されている耳介に関しては、外耳道を含むつもりで言及している。
【０１０５】
電子部品モヂュールおよびカバーは、図示した矩形、円形およびハート形以外の形に形成しても良い。取り外し可能ポスト、調整可能ポスト、２片実施例等は、いずれのカバー形状と組み合わせても使用出来る。
【０１０６】
スピーカーおよびマイクロフォーンはブームの端部にあるように示されている。これらのブームは、これらオーディオ構成要素を搭載する１つの方法の示すためのものであるが、スピーカーおよび／またはマイクロフォーンは、例えば、プロセッサ、スイッチ、LED、および可能性としてポストおよびバッテリーを含む一体化されたハウジングのいずれかの端部に搭載出来る。スピーカー組体は、半径方向に対称なハウジングで示されているが、スピーカーハウジングは、耳介の輪郭によく合うように非対称とすることも出来る。
【０１０７】
図ではポストは耳たぶを通るピアス孔に取り付けるよう位置決めされているが、普通にピアス孔があけられる耳介上の位置は沢山ある。ピアス孔の位置は、以下に限定されるわけではないが、耳たぶ、内側耳甲介、外側耳甲介、耳輪、耳輪交叉部、耳珠、対耳珠、外側耳甲介軟骨等の種々の位置を含んでいる。これらのいずれの位置もイヤーセットを取り付けるのに適している。
【０１０８】
イヤリング型イヤーセットは電話器と交信するものとして説明したが、同様にコンピュータあるいはそのポーターブルの演算装置と交信出来る。このイヤーセットは、コンピュータに音声コマンドを与えるためあるいはインターネット電話呼び出し（IPを通した音声）をするために使える。このイヤーセットは、携帯電話および小型コンピュータ、あるいは今流行り出しているいわゆるスマートフォーンであるPDAを組み合わせている装置と交信するためにも使える。
【０１０９】
イヤーセットの電源は、バッテリーとして説明したが、その他の電源も使える。それらは燃料電池および電気化学的二重層キャパシターあるいはナノゲートキャパシターのようなウルトラキャパシターを含んでいる。
【０１１０】
このイヤーセットは、最先端のヘッドセットの特徴を取り込んでも良い。音声ダイアリングは、呼びを開始するための音声認識を使った技術である。DSPの特徴は音声の質を向上するために使える。このイヤーセットは、ユーザーインターフェイスであるスイッチおよびLEDを省略しても良い。このイヤーセットは、組み立てられた時パワーをオンしても良いし、一方呼びのピックアップ／ハングアップおよびオーディオの音量はホスト電話器あるいはコンピュータによって制御されても良い。
【０１１１】
以上説明した望ましい実施例は、本発明の原理を図示するためのものであり、発明の範囲を限定するものではない。この望ましい実施例に対するその他の実施例あるいは変形例は、当業者にとっては明らかなはずであり、また本発明の精神および以下の請求項に定義された範囲およびその法律的な均等物から逸脱することなくなされ得るものである。
【図１ａ】
2010530180.tif 000003
【図１ｂ】
2010530180.tif 000004
【図１ｃ】
2010530180.tif 000005
【図１ｄ】
2010530180.tif 000006
【図２ａ】
2010530180.tif 000007
【図２ｂ】
2010530180.tif 000008
【図３ａ−３ｅ】
2010530180.tif 000009
【図４】
2010530180.tif 000010
【図５】
2010530180.tif 000011
【図６ａ】
2010530180.tif 000012
【図６ｂ】
2010530180.tif 000013
【図７ａ】
2010530180.tif 000014
【図７ｂ】
2010530180.tif 000015
【図７ｃ】
2010530180.tif 000016
【図７ｄ】
2010530180.tif 000017
【図７ｅ】
2010530180.tif 000018
【図７ｆ】
2010530180.tif 000019
【図７ｇ】
2010530180.tif 000020
【図７ｈ】
2010530180.tif 000021
【図８】
2010530180.tif 000022
【図９ａ】
2010530180.tif 000023
【図９ｂ】
2010530180.tif 000024
【図１０ａ】
2010530180.tif 000025
【図１０ｂ】
2010530180.tif 000026
【図１１】
2010530180.tif 000027
【図１２ａ】
2010530180.tif 000028
【図１２ｂ】
2010530180.tif 000029
【図１３】
2010530180.tif 000030
【図１４】
2010530180.tif 000031
【図１５ａ−１５ｃ】
2010530180.tif 000032
【図１６】
2010530180.tif 000033
【国際調査報告】
2010530180.tif 000034